(57)【要約】【課題】収納キャビネットの棚板を少ない緩衝材で庫内に固定し、輸送中に損傷することなく安全に輸送できる包装構造を提供することを目的とする。【解決手段】着脱自在な複数の棚板８を備えた略直方体の収納キャビネット７において、収納キャビネット７の開口の対角間と略等しい寸法に複数の棚板８を結束部材９を介して継合し、前記棚板８を収納キャビネット７の対角間に収納することにより、継合した棚板８はキャビネット内で移動することがなく、キャビネット７や棚板８を損傷することなく安全に輸送することができる。【選択図】図１
2005320024.tif 000002
【特許請求の範囲】
【請求項１】
着脱自在な複数の棚板を備えた略直方体の収納キャビネットにおいて、収納キャビネットの開口の対角間と略等しい寸法に複数の棚板を結束部材を介して継合し、前記棚板を収納キャビネットの対角間に収納した棚板の包装構造。
【請求項２】
継合した棚板の両端部をカバーする緩衝材を介して、収納キャビネットの対角間に収納した請求項１に記載の棚板の包装構造。
【請求項３】
棚板継合部の両表面と端面と重合面を板状の緩衝板を折り曲げて連続的にカバーし、前記緩衝板と棚板を一緒に結束部材で結束した請求項１または２に記載の棚板の包装構造。
【発明の詳細な説明】
【技術分野】
【０００１】
本発明はキャビネットの棚板の包装構造に関するものである。
【背景技術】
【０００２】
従来、この種の棚板の包装構造は、キャビネットの一方の側板内面に梱包材をテープで仮止めし、前記梱包材をキャビネット本体内方向に向かって三角柱部が形成されるように折り曲げると共に、前記キャビネット本体の他方の側板と対峙する棚板の端縁部にクッション材を挟み込み、この後、棚板を前記梱包材方向へ倒し、梱包材の三角柱頂部に圧接させることで、棚板をキャビネット内に固着することで棚板を梱包している（例えば、特許文献１参照）。
【０００３】
図４は、特開文献１に記載された従来の棚板の包装構造を示すものである。図４に示すように、キャビネット１の一方の側板２の内面にテープで仮止めした梱包材３と、他方の側板４にクッション材５を介して当接した棚板６を、前記梱包材３の三角柱頂部７に圧接した構成となっている。
【特許文献１】特開２００１−１３９０６４号公報
【発明の開示】
【発明が解決しようとする課題】
【０００４】
しかしながら、前記従来の構成では、クッション材の弾性力で棚板を一方の棚板と梱包材の間で圧接固定しているだけなので、棚板を固定している力は弱く、輸送中の振動や不用意な力が加わった場合には棚板の固定が外れ、キャビネットや棚板に損傷を与えるという課題を有していた。
【０００５】
本発明は、前記従来の課題を解決するもので、収納キャビネットの棚板を少ない緩衝材で庫内に固定し、輸送中に損傷することなく安全に輸送できる包装構造を提供することを目的とする。
【課題を解決するための手段】
【０００６】
前記従来の課題を解決するために、本発明の棚板の包装構造は、着脱自在な複数の棚板を備えた略直方体の収納キャビネットにおいて、収納キャビネットの開口の対角間と略等しい寸法に複数の棚板を結束部材を介して継合し、前記棚板を収納キャビネットの対角間に収納したものである。
【０００７】
これによって、継合した棚板は庫内寸法の一番大きい収納キャビネットの対角間に収納するためキャビネット内で不用意に移動することがない。
【発明の効果】
【０００８】
以上のように、請求項１から３のいずれか一項記載の発明によれば、緩衝材や固定のための部材を多く使用しなくても、棚板や収納キャビネットを損傷することなく安全に収納キャビネットを輸送することができる。
【発明を実施するための最良の形態】
【０００９】
第１の発明は着脱自在な複数の棚板を備えた略直方体の収納キャビネットにおいて、収納キャビネットの開口の対角間と略等しい寸法に複数の棚板を結束部材を介して継合し、前記棚板を収納キャビネットの対角間に収納することにより、継合した棚板は庫内寸法の一番大きい収納キャビネットの対角間に収納するため、キャビネット内で移動することがなく、緩衝材や固定のための部材を多く使用しなくても、棚板や収納キャビネットを損傷することなく安全に収納キャビネットを輸送することができる。
【００１０】
第２の発明は、特に、第１の発明の継合した棚板の両端部をカバーする緩衝材を介して、収納キャビネットの対角間に収納することにより、棚板の端部と収納キャビネットの内面が直接接触することがなくなるため、棚板と収納キャビネット双方が損傷を受けることをより確実に防止することができる。
【００１１】
第３の発明は、特に、第１または第２の発明の棚板継合部の両表面と端面と重合面を板状の緩衝板を折り曲げて連続的にカバーし、前記緩衝板と棚板を一緒に結束部材で結束することにより、緩衝板により棚板の継合部の移動が規制され、継合した棚板の寸法が安定するため、収納キャビネットの対角間により確実に収納することができ、また、輸送中の振動等によって継合部が移動することがなく、棚板や収納キャビネットをより安全に輸送することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における棚板の包装構造の平面図を示すもので、図２は第１の実施の形態における棚板の別の結束方法の平面図を示すものである。
【００１４】
前面が開口の木製のキャビネット７には、キャビネット７内に設置して使用するする棚板８が２枚が着脱自在に準備されており、輸送時の包装方法としては図１に示すように、まず、２枚の棚板８をキャビネット７の対角寸法に合わせて重置し、帯状の樹脂からなる結束部材９で２カ所を結束して継合し、継合した棚板８をキャビネット７内の対角位置に設置したダンボール製の緩衝材１０を介して、キャビネット内に配置した構成となっている。
【００１５】
以上のように構成された棚板の包装構造について、以下動作、作用を説明する。
【００１６】
まず、２枚の棚板をキャビネットの対角寸法に合わせて結束することにより、２枚の棚板は強固に継合し、所定の長さを保つことができるものであり、継合した所定寸法の棚板を緩衝材を介してキャビネットの対角位置に挿入することにより、棚板はキャビネット内に固定することができる。
【００１７】
以上のように、本実施の形態においては棚板をキャビネットの対角寸法に等しくなるように結束継合し、緩衝材を介してキャビネット内の対角位置に配置するという簡単な包装構造にもかかわらず、棚板に輸送中の振動等が加わっても移動したり、破損することがない。また、棚板はキャビネット内に配置しているため、傷が付いたり、汚れたりすることがなく、安全に輸送することができる。
【００１８】
なお、本実施の形態においては２枚の棚板は直接継合したが、図２に示すように棚板８継合部の両表面８ａと端面と重合面８ｃを板状の緩衝板１１を折り曲げて連続的にカバーし、前記緩衝板と棚板を一緒に結束部材９で結束することにより、緩衝板は棚板の継合部の移動をより確実に規制することができるため、継合した棚板の寸法が安定し、しかも輸送中の振動等によって継合部が移動することをより確実に防止することができる。また、棚板同士が直接接触することがないため、棚板に傷が付くことを防止することができるものであり、棚板と収納キャビネットをより安全に輸送することができる。
【００１９】
（実施の形態２）
図３は、本発明の第２の実施の形態における棚板の包装構造の平面図を示すものである。
【００２０】
第１の実施の形態と異なる点は、キャビネット７には棚板８が３枚付属しており、図３に示すように２枚の棚板８の間にもう１枚の棚板８を挟持して結束部材９で結束して継合したものである。しかも、２枚の棚板８の隙間の部分にはスペーサー１２を挿入した構成である。
【００２１】
なお、実施の形態１と同一符号のものは同一構造を有し、説明は省略する。
【００２２】
以上のように構成された棚板の包装構造について、以下動作、作用を説明する。
まず、３枚の棚板をキャビネットの対角寸法に合わせて結束部材で結束することにより、３枚の棚板は強固に継合し、しかも２枚の棚板の隙間にスペーサーを挿入することにより所定の長さを確実に保つことができるものとなり、継合した所定寸法の棚板を緩衝材を介してキャビネットの対角位置に挿入することで、棚板はキャビネット内に確実に固定することができる。
【００２３】
以上のように、棚板が３枚の場合でも、キャビネットと棚板を安全に輸送することができるものであり、棚板の枚数がそれ以上の場合でも、キャビネットの対角寸法に合わせて複数の棚板を結束して継合することにより同様の効果を得ることができる。
【００２４】
なお、本実施の形態においても、第１の実施の形態と同様に棚板の継合部に緩衝板を介入することにより、棚板に傷が付くことを防止し、棚板と収納キャビネットをより安全に輸送することができる。
【産業上の利用可能性】
【００２５】
以上のように、本発明にかかる棚板の包装構造は、固定のための部材を使用しなくても、棚板や収納キャビネットを損傷することなく安全に収納キャビネットを輸送することが可能となるので、業務用のキャビネットなどの用途にも適用できる。
【図面の簡単な説明】
【００２６】
【図１】本発明の実施の形態１における棚板の包装構造の平面図
【図２】本発明の実施の形態１における別の棚板の結束構造の平面図
【図３】本発明の実施の形態２における棚板の包装構造の平面図
【図４】従来の棚板の包装構造の斜視図
【符号の説明】
【００２７】
７  収納キャビネット
８  棚板
９  結束部材
１０  緩衝材
１１  緩衝板
【図１】
2005320024.tif 000003
【図２】
2005320024.tif 000004
【図３】
2005320024.tif 000005
【図４】
2005320024.tif 000006